(57)【要約】【課題】ＣＤ等のディスクに格納された楽曲データを再生可能なカーナビゲーションを備える車載装置において、楽曲検索にかかる手間を大幅に削減できる楽曲提供システム及び楽曲提供方法を提供する。【解決手段】車載装置１において、ディスク４に格納された楽曲データを再生した際に、再生した楽曲データをＭＰ３形式に変換して格納部１５の楽曲ＤＢ１５１に格納し、また該楽曲データに関連付けられた楽曲インデックス及びジャンルインデックスを含む識別情報をＣＤＤＢ１５２に格納する。そして、ＣＤＤＢ１５２に格納した識別情報を楽曲配信サーバ装置３にアップロードする。楽曲配信サーバ装置３において、車載装置１からアップロードされた識別情報を取得して、分析部３１でその識別情報のジャンルインデックスを分析し、その分析の結果に基づいて車載装置１に対して推奨ジャンルを送信する。【選択図】図４
2008269660.tif 000002
【特許請求の範囲】
【請求項１】
ディスクに格納された楽曲データを再生する楽曲再生手段並びに前記楽曲データの楽曲インデックス及びジャンルインデックスを含む識別情報をアップロードする送信手段を有する車載装置と、前記車載装置からの前記識別情報におけるジャンルインデックスを分析する分析手段、及び前記分析の結果に基づいて前記車載装置に楽曲データの情報を提供する提供手段を有する楽曲配信サーバ装置と、を具備することを特徴とする楽曲提供システム。
【請求項２】
前記分析手段は、ユーザ毎の前記ジャンルインデックスを分析して、前記ユーザに対する推奨ジャンルを出力することを特徴とする請求項１記載の楽曲提供システム。
【請求項３】
前記楽曲配信サーバ装置は、前記推奨ジャンルを前記車載装置に送信することを特徴とする請求項２記載の楽曲提供システム。
【請求項４】
前記楽曲配信サーバ装置は、前記ユーザからのアクセスがあったときに、前記推奨ジャンルを提供することを特徴とする請求項２記載の楽曲提供システム。
【請求項５】
車載装置において、ディスクに格納された楽曲データを再生する際に、前記楽曲データを格納すると共に、前記楽曲データの楽曲インデックス及びジャンルインデックスを含む識別情報を格納する工程と、前記識別情報を楽曲配信サーバ装置にアップロードする工程と、前記楽曲配信サーバ装置において前記識別情報のジャンルインデックスを分析する工程と、前記楽曲配信サーバ装置において、前記分析の結果に基づいて前記車載装置に対して楽曲データの情報を提供する工程と、を具備することを特徴とする楽曲提供方法。
【請求項６】
前記ジャンルインデックスを分析して得られた前記ユーザに対する推奨ジャンルを前記車載装置に送信することを特徴とする請求項５記載の楽曲提供方法。
【請求項７】
前記ユーザからのアクセスがあったときに、前記ジャンルインデックスを分析して得られた前記ユーザに対する推奨ジャンルを提供することを特徴とする請求項５記載の楽曲提供方法。
【請求項８】
前記車載装置から前記楽曲配信サーバ装置に対する楽曲データのダウンロードの要求に応じて、前記楽曲配信サーバが前記車載装置に前記楽曲データをダウンロードする際に、前記車載装置が前記ジャンルインデックスをアップロードすることを特徴とする請求項５から請求項７のいずれかに記載の楽曲提供方法。
【発明の詳細な説明】
【技術分野】
【０００１】
本発明は、ＣＤ（Compact Disk）等のディスクに格納された楽曲データを再生可能なカーナビゲーションを備える車載装置に楽曲を提供する楽曲提供システム及び楽曲提供方法に関する。
【背景技術】
【０００２】
ＣＤ等のディスクに格納された楽曲データを再生可能なカーナビゲーションを備える車載装置には、ディスクに格納された楽曲データを再生する毎に、再生した楽曲データをＭＰ３（MPEG Audio Layer-3）形式に変換し、再生した楽曲データに関連付けられたインデックス情報（曲名のインデックス、アーティストのインデックス、曲のジャンル等）と共にハードディスク等の記録装置に格納する機能を有するものがある。この機能により、次回からはディスクがなくても再生することが可能となっている。
【０００３】
また、従来の他の車載装置として、インターネット等のネットワークを介して楽曲データをダウンロードして再生できるものがある。特許文献１には、その種の車載装置が開示されている。すなわち、特許文献１には、サービス業者から配信された楽曲データを保存しておいて、予め登録しておいた位置に到達したときに再生する方法や、予めサービス業者に楽曲データを指定しておいて、目的地に到達したときにサービス業者に楽曲データのダウンロード要求を行い、サービス業者からダウンロードされた楽曲データを再生する方法が記載されている。
【特許文献１】特開２００２−２３０３１５号公報
【発明の開示】
【発明が解決しようとする課題】
【０００４】
ところで、上述した従来の車載装置は、ユーザの好みの音楽を検索するためのユーザインタフェースが充実していないこともあって、莫大な楽曲データの中からユーザが好むものを探し出すのに非常に時間がかかる問題がある。なお、特許文献１で開示された技術は、データ情報と位置情報とを関連付けたものであり、音楽検索を容易にするものではないし、寄与できるものでもない。
【０００５】
本発明はかかる点に鑑みてなされたものであり、ＣＤ等のディスクに格納された楽曲データを再生可能なカーナビゲーションを備える車載装置において、楽曲検索にかかる手間を大幅に削減できる楽曲提供システム及び楽曲提供方法を提供することを目的とする。
【課題を解決するための手段】
【０００６】
本発明の楽曲提供システムは、ディスクに格納された楽曲データを再生する楽曲再生手段並びに前記楽曲データの楽曲インデックス及びジャンルインデックスを含む識別情報をアップロードする送信手段を有する車載装置と、前記車載装置からの前記識別情報におけるジャンルインデックスを分析する分析手段、及び前記分析の結果に基づいて前記車載装置に楽曲データの情報を提供する提供手段を有する楽曲配信サーバ装置と、を具備することを特徴とする。
【０００７】
この構成によれば、車載装置において、再生した楽曲データに関連付けられた楽曲インデックス及びジャンルインデックスを含む識別情報をアップロードし、楽曲配信サーバにおいて、車載装置からアップロードされた識別情報におけるジャンルインデックスを分析し、その結果に基づき車載装置に楽曲データの情報を提供するので、車載装置のユーザは、楽曲配信サーバ装置から提供された楽曲データの情報を楽曲選択の参考にすることで、莫大な音楽データの中から好みの楽曲を素早く選択することができる。したがって、楽曲検索にかかる手間の大幅な削減が可能となる。
【０００８】
本発明の楽曲提供システムにおいては、前記分析手段は、ユーザ毎の前記ジャンルインデックスを分析して、前記ユーザに対する推奨ジャンルを出力することが好ましい。この構成によれば、ユーザ毎にジャンルインデックスを分析して、各ユーザに対して推奨ジャンルを出力するので、各ユーザは楽曲配信サーバ装置から出力される推奨ジャンルを取得することで、該推奨ジャンルを基に好みの楽曲を素早く選択することができる。
【０００９】
本発明の楽曲提供システムにおいては、前記楽曲配信サーバ装置は、前記推奨ジャンルを前記車載装置に送信することが好ましい。この構成によれば、ユーザ毎に推奨ジャンルを送信するので、各ユーザは自分の車載装置で楽曲配信サーバ装置から送信される推奨ジャンルを受信することで、該推奨ジャンルを基に好みの楽曲を素早く選択することができる。
【００１０】
本発明の楽曲提供システムにおいては、前記楽曲配信サーバ装置は、前記ユーザからのアクセスがあったときに、前記推奨ジャンルを提供することが好ましい。この構成によれば、車載装置のユーザが楽曲配信サーバ装置に対してアクセスすることで、楽曲配信サーバ装置から推奨ジャンルが提供されるので、車載装置のユーザは該推奨ジャンルを基に好みの楽曲を選択することができる。
【００１１】
本発明の楽曲提供方法は、車載装置において、ディスクに格納された楽曲データを再生する際に、前記楽曲データを格納すると共に、前記楽曲データの楽曲インデックス及びジャンルインデックスを含む識別情報を格納する工程と、前記識別情報を楽曲配信サーバ装置にアップロードする工程と、前記楽曲配信サーバ装置において前記識別情報のジャンルインデックスを分析する工程と、前記楽曲配信サーバ装置において、前記分析の結果に基づいて前記車載装置に対して楽曲データの情報を提供する工程と、を具備することを特徴とする。
【００１２】
この方法によれば、車載装置が、ディスクに格納された楽曲データを再生することで、楽曲データと該楽曲データに関連付けられた楽曲インデックス及びジャンルインデックスを含む識別情報とをハードディスク等の記憶手段に格納し、さらに格納した識別情報を楽曲配信サーバ装置にアップロードし、楽曲配信サーバ装置が、車載装置からアップロードされてきた識別情報のジャンルインデックスを分析して、車載装置のユーザの好みのジャンルに関する楽曲データの情報を該ユーザに提供するので、車載装置のユーザは、楽曲配信サーバ装置から提供された楽曲データの情報を楽曲選択の参考にすることで、莫大な音楽データの中から好みの楽曲を素早く選択することができる。したがって、楽曲検索にかかる手間の大幅な削減が可能となる。
【００１３】
本発明の楽曲提供方法においては、前記ジャンルインデックスを分析して得られた前記ユーザに対する推奨ジャンルを前記車載装置に送信することが好ましい。この方法によれば、楽曲配信サーバ装置が、ジャンルインデックスを分析して得られた推奨ジャンルを車載装置に送信するので、ユーザは自分の車載装置で楽曲配信サーバ装置から送信される推奨ジャンルを受信することで、該推奨ジャンルを基に好みの楽曲を素早く選択することができる。
【００１４】
本発明の楽曲提供方法においては、前記ユーザからのアクセスがあったときに、前記ジャンルインデックスを分析して得られた前記ユーザに対する推奨ジャンルを提供することが好ましい。この方法によれば、車載装置のユーザが楽曲配信サーバ装置に対してアクセスすることで、楽曲配信サーバ装置が該ユーザに対して推奨ジャンルを提供するので、車載装置のユーザは、該推奨ジャンルを基に好みの楽曲を選択することができる。
【００１５】
本発明の楽曲提供方法においては、前記車載装置から前記楽曲配信サーバ装置に対する楽曲データのダウンロードの要求に応じて、前記楽曲配信サーバが前記車載装置に前記楽曲データをダウンロードする際に、前記車載装置が前記ジャンルインデックスをアップロードすることが好ましい。この方法によれば、楽曲配信サーバ装置が車載装置に楽曲データをダウンロードする際に、車載装置が楽曲配信サーバ装置にジャンルインデックスをアップロードするので、楽曲配信サーバ装置は車載装置に登録されている最新のデータを取得することができる。これは、車載装置側から見れば常に最新の推奨ジャンルが得られることになり、車載装置のユーザにとって大きなメリットである。
【発明の効果】
【００１６】
本発明による楽曲提供システム及び楽曲提供方法は、車載装置が、ＣＤ等のディスクに格納された楽曲データを再生する毎に、再生した楽曲データに関連付けられた楽曲インデックス及びジャンルインデックスを含む識別情報を楽曲配信サーバ装置にアップロードし、楽曲配信サーバが、車載装置からアップロードされた識別情報におけるジャンルインデックスを分析して、その結果に基づき車載装置のユーザに推奨ジャンルを提供するので、
車載装置において楽曲検索にかかる手間の大幅な削減が可能となる。
【発明を実施するための最良の形態】
【００１７】
以下、本発明の実施の形態について、添付図面を参照して詳細に説明する。
図１は、本発明の一実施の形態に係る楽曲提供システムの概略構成を示すブロック図である。図１に示すシステムは、車両に搭載して使用する車載装置１と、車載装置１とインターネット等のネットワーク２を介して接続される楽曲配信サーバ装置３とから主に構成されている。なお、図１では車載装置１を１台のみ示しているが、実際は複数台ある。
【００１８】
車載装置１は、ＣＤ等のディスク４に格納された楽曲データを再生可能なカーナビゲーションとＧＰＳ（Global Positioning System）とを備える。図２は、車載装置１の詳細な構成を示すブロック図である。同図において、車載装置１は、装置全体を制御する制御部１１と、ネットワーク２を介して楽曲配信サーバ装置３と通信を行ってデータやコマンドの送受信を行う通信制御部１２と、ディスク４から再生した楽曲データに関する情報（ジャンル、曲名、アーティスト名等）を表示するための表示部１３と、車載装置１の位置を測位するＧＰＳ１４と、ディスク４から再生した楽曲データと該楽曲データに関連付けられた識別情報（楽曲インデックス、ジャンルインデックスを含む）を格納するための格納部１５と、ディスク４に格納された楽曲データを再生する楽曲再生部１６と、格納部１５の内容の更新等を行うアプリ制御部１７とを主に備える。楽曲データに関連付けられた識別情報に含まれる楽曲インデックスは「曲名」と「アーティスト名」からなる。
【００１９】
格納部１５は、ディスク４から再生された楽曲データを格納するための楽曲ＤＢ（楽曲データベース）１５１と、該楽曲データに関連付けられた識別情報を格納するためのＣＤＤＢ（ＣＤデータベース）１５２とを有する。制御部１１は、ディスク４に格納された楽曲データが楽曲再生部１６で再生される毎に、それをＭＰ３形式に変換して格納部１５の楽曲ＤＢ１５１に格納し、さらに再生された楽曲データに関連付けされた識別情報を格納部１５のＣＤＤＢ１５２に格納する。
【００２０】
アプリ制御部１７は、格納部１５のＣＤＤＢ１５２に格納された識別情報を楽曲配信サーバ装置３にアップロードしたり、楽曲配信サーバ装置３に楽曲データのダウンロードを要求したり、楽曲配信サーバ装置３からダウンロードされた楽曲データを取り込んだり、定期的に格納部１５のＣＤＤＢ１５２の内容を楽曲配信サーバ装置３のＣＤＤＢ３４の内容と同一になるように更新したりする。
【００２１】
図１に戻り、楽曲配信サーバ装置３は、車載装置１のユーザが好む音楽のジャンルを分析する分析部３１と、多数の楽曲データを有し、車載装置１のユーザからの要求に応じて楽曲データを配信する楽曲ＤＢ（楽曲データベース）３２と、車載装置１からアップロードされてきた識別情報をユーザ毎に管理する管理部３３と、車載装置１からアップロードされてきた識別情報を蓄積するＣＤＤＢ３４とを備える。
【００２２】
図３は、管理部３３で管理される識別情報の一例を示す図である。同図に示す例では、ユーザＡ及びＢの夫々が再生した楽曲に関する情報が管理されている。ユーザＡについては、３つの楽曲夫々の楽曲ＩＤ（楽曲インデックス）と各楽曲に関連付けられたジャンルＩＤ（ジャンルインデックス）が管理されており、ユーザＢについては、２つの楽曲夫々の楽曲ＩＤと各楽曲に関連付けられたジャンルＩＤが管理されている。このように管理部３３は、ユーザ毎に車載装置１で再生された楽曲データに関連付けられた識別情報を管理する。
【００２３】
分析部３１は、管理部３３で管理されているユーザ毎の識別情報を基に各ユーザの好みのジャンルを分析し、その結果から各ユーザに対する推奨ジャンルを出力する。分析部３１から出力された各ユーザに対する推奨ジャンルは、対応する各ユーザの車載装置１に送信されるか、あるいは各ユーザが車載装置１を介して楽曲配信サーバ装置３にアクセスすることで送信される。楽曲配信サーバ装置３から各ユーザの車載装置１に推奨ジャンルを送信することで、各ユーザの車載装置１から楽曲データダウンロード要求があると、楽曲ＤＢ３２が各ユーザから要求された楽曲データを対応する車載装置１に向けてダウンロードする。
【００２４】
なお、車載装置１における楽曲再生部１６は楽曲再生手段に対応する。また、車載装置１における制御部１１と通信制御部１２は送信手段を構成する。また、楽曲配信サーバ装置３における分析部３１は分析手段に対応する。
【００２５】
このようなシステムにおいて、車載装置１において、ディスク４に格納された楽曲データを再生した際に、再生した楽曲データをＭＰ３形式に変換して格納部１５の楽曲ＤＢ１５１に格納し、また再生した楽曲データに関連付けられた楽曲インデックス及びジャンルインデックスを含む識別情報を格納部１５のＣＤＤＢ１５２に格納する。そして、ＣＤＤＢ１５２に格納した識別情報を楽曲配信サーバ装置３にアップロードする。楽曲配信サーバ装置３において、車載装置１からアップロードされてきた識別情報を取得することで、分析部３１がその識別情報のジャンルインデックスを分析する。そして、分析結果に基づいて車載装置１に対して推奨ジャンルを送信する。車載装置１において、楽曲配信サーバ装置３から推奨ジャンルが送られてきて、車載装置１のユーザが推奨ジャンルを参考にして好みの楽曲を選択すると、その楽曲を取得するために楽曲データダウンロード要求を楽曲配信サーバ装置３に対して行う。楽曲配信サーバ装置３において、車載装置１から楽曲データダウンロード要求があると、楽曲ＤＢ３２が該当する楽曲データの有無を確認し、有ればそれを車載装置１に対してダウンロードする。
【００２６】
上記においては、楽曲配信サーバ装置３において、識別情報のジャンルインデックスを分析し、その分析結果に基づいて車載装置１に対して推奨ジャンルを送信し、車載装置１で推奨ジャンルを表示する態様により、車載装置１に楽曲データの情報を提供する場合について説明しているが、本発明においては、楽曲配信サーバ装置３において、識別情報のジャンルインデックスを分析しておき、車載装置１が楽曲配信サーバ装置３にアクセスして推奨ジャンルを表示する態様により、車載装置１に楽曲データの情報を提供しても良い。
【００２７】
次に、本発明の実施の形態に係る楽曲提供方法について説明する。
図４は、本発明の実施の形態に係る楽曲提供方法を説明するためのフロー図である。同図において、まず車載装置１において、ディスク４の楽曲データを再生する（ステップＳＴ１１）。この際、ディスクに複数の楽曲データがある場合、最初の曲を再生するか、またはユーザが選択した楽曲を再生する。そして、再生した楽曲データをＭＰ３形式に変換して格納部１５の楽曲ＤＢ１５１に格納し、さらに楽曲データに関連付けられた識別情報をＣＤＤＢ１５２に格納する（ステップＳＴ１２）。次いで、ＣＤＤＢ１５２に格納した識別情報を楽曲配信サーバ装置３にアップロードする（ステップＳＴ１３）。
【００２８】
楽曲配信サーバ装置３において、車載装置１から識別情報がアップロードされてくると、その識別情報を管理する（ステップＳＴ１４）。そして、識別情報のジャンルインデックスを分析する（ステップＳＴ１５）。そして、ジャンルインデックスの分析結果に基づいて推奨ジャンルを生成し、それを車載装置１に送信する（ステップＳＴ１６）。
【００２９】
車載装置１において、楽曲配信サーバ装置３から推奨ジャンルが送信されてくると、それを表示部１３上に表示する（ステップＳＴ１７）。車載装置１のユーザは、表示部１３上に表示された推奨ジャンルを楽曲選択の参考にして好みの楽曲を選択する。車載装置１のユーザが好みの楽曲を選択し終えると、その楽曲を得るため、楽曲配信サーバ装置３に対して楽曲データダウンロード要求を行う（ステップＳＴ１８）。
【００３０】
楽曲配信サーバ装置３において、車載装置１から楽曲データダウンロード要求があると、該当する楽曲データの有無を確認して、有ればそれを車載装置１に向けてダウンロードする（ステップＳＴ１９）。なお、楽曲データの送信は、車載装置１から楽曲データダウンロード要求があった時点で行う以外に、例えば通信トラヒックが少ない夜間に行うことも可能である。
【００３１】
車載装置１において、楽曲配信サーバ装置３から楽曲データがダウンロードされると、それを再生する。
【００３２】
なお、楽曲配信サーバ装置３が車載装置１に楽曲データをダウンロードする際に、車載装置１が楽曲配信サーバ装置３に識別情報をアップロードするようにしても良い（ステップＳＴ２０）。このようにすることにより、楽曲配信サーバ装置３は車載装置１に登録されている最新のデータを取得することができる。これは、車載装置１側から見れば常に最新の推奨ジャンルが得られることになり、車載装置１のユーザにとって大きなメリットである。また、車載装置１が楽曲配信サーバ装置３に識別情報をアップロードする際に、完了通知も一緒にアップロードしても良い。
【００３３】
このように、本実施の形態に係る楽曲提供システムでは、車載装置１において、ディスク４に格納された楽曲データを再生した際に、再生した楽曲データをＭＰ３形式に変換して格納部１５の楽曲ＤＢ１５１に格納し、また再生した楽曲データに関連付けられた楽曲インデックス及びジャンルインデックスを含む識別情報を格納部１５のＣＤＤＢ１５２に格納し、その後、ＣＤＤＢ１５２に格納された識別情報を楽曲配信サーバ装置３にアップロードし、楽曲配信サーバ装置３において、車載装置１からアップロードされてきた識別情報を取得すると、分析部３１がその識別情報のジャンルインデックスを分析し、その分析の結果に基づいて車載装置１に対して推奨ジャンルを送信するので、車載装置１のユーザは、楽曲配信サーバ装置３から提供された推奨ジャンル（楽曲データの情報）を楽曲選択の参考にすることで、莫大な音楽データの中から好みの楽曲を素早く選択することができる。したがって、楽曲検索にかかる手間の大幅な削減が可能となる。
【００３４】
なお、本実施の形態では、楽曲配信サーバ装置３からの推奨ジャンルの送信をジャンルインデックス分析後に行うようにしたが、車載装置１からのアクセスに従って行うようにしても良い。図５のフロー図にその処理を示す。同図において、楽曲配信サーバ装置３にてジャンルインデックス分析が行われた後、車載装置１がサイトアクセスを行う（ステップＳＴ２１）と、楽曲配信サーバ装置３が推奨ジャンルを送信する。
【００３５】
また、本実施の形態では、車載装置１のアプリ制御部１７が、格納部１５のＣＤＤＢ１５２の内容を楽曲配信サーバ装置３のＣＤＤＢ３４の内容と同一になるように更新するようにしたが、格納部１５のＣＤＤＢ１５２の内容を更新する際に、携帯電話等の携帯端末装置を用いても良い。すなわち、携帯端末装置に車載装置１のアプリ制御部１７と同様の機能を持たせて、楽曲配信サーバ装置３にアクセスし、楽曲配信サーバ装置３のＣＤＤＢ３４の内容を取得して、近距離通信又は非接触通信にて車載装置１に転送する。
【００３６】
本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００３７】
本発明は、ＣＤ等のディスクに格納された楽曲データを再生可能なカーナビゲーションを備える車載装置に楽曲データを配信するシステムに適用可能である。
【図面の簡単な説明】
【００３８】
【図１】本発明の一実施の形態に係る楽曲提供システムの概略構成を示す図である。
【図２】図１に示すシステムにおける車載装置の概略構成を示すブロック図である。
【図３】図１に示す楽曲配信サーバ装置の管理部で管理される情報の一例を示す図である。
【図４】本発明の実施の形態に係る楽曲提供方法を説明するためのフロー図である。
【図５】図４のフロー図で示す楽曲提供方法の応用例を説明するためのフロー図である。
【符号の説明】
【００３９】
１  車載装置
２  ネットワーク
３  楽曲配信サーバ装置
４  ディスク
１１  制御部
１２  通信制御部
１３  表示部
１４  ＧＰＳ
１５  格納部
１６  楽曲再生部
１７  アプリ制御部
３１  分析部
３２，１５１  楽曲ＤＢ
３３  管理部
３４，１５２  ＣＤＤＢ
【図１】
2008269660.tif 000003
【図２】
2008269660.tif 000004
【図３】
2008269660.tif 000005
【図４】
2008269660.tif 000006
【図５】
2008269660.tif 000007